(57)【特許請求の範囲】
【請求項１】
仮設足場（４）に対する落下物防止用巾木群（２）で構成され、仮設足場（４）は、所定間隔をもって配された前後の建枠（４Ａ、４Ｂ）と、足場布材（４Ｃ）から構成され、
足場布材（４Ｃ）は、前後の建枠（４Ａ、４Ｂ）における水平材（４Ａ１、４Ｂ１）に前後のフック（４Ｃ２、４Ｃ２）を係止して張設され、
下方に位置する仮設足場（４）に上方に位置する仮設足場（４）が、積層可能に構成され、
落下物防止用巾木群（２）は、左傾斜巾木（２Ａ）と右傾斜巾木（２Ｂ）から構成され、
仮設足場（４）の左内方下端に配される左傾斜巾木（２Ａ）と仮設足場（４）の右内方下端に配される右傾斜巾木（２Ｂ）が、各々の傾斜巾木の下辺が内方に位置する傾斜状態で取付けられ、
左傾斜巾木（２Ａ）は、足場布材（４Ｃ）の長さに相当する長さを有すると共に、所定高さを有するよう構成された巾木（２Ａ１）と、巾木（２Ａ１）における前後端に取付けられた後の傾斜用左係脱金物（２Ａ２）と、前の傾斜用左係脱金物（２Ａ３）から構成され、
後の傾斜用左係脱金物（２Ａ２）は、所定幅の板を素材として正面台形状の接続面（２Ａ２１）と、接続面の右方辺より前方に向け折曲げた側面方形の連結面（２Ａ２２）と、接続面の左方辺より前方に向け平面略半円状に折曲げたフック（２Ａ２３）から構成され、
前の傾斜用左係脱金物（２Ａ３）は、所定幅の板を素材として正面台形状の接続面（２Ａ３１）と、接続面の右方辺より後方に向け折曲げた側面方形の連結面（２Ａ３２）と、接続面の左方辺より後方に向け平面略半円状に折曲げたフック（２Ａ３３）から構成され、
右傾斜巾木（２Ｂ）は、足場布材（４Ｃ）の長さに相当する長さを有すると共に、所定高さを有するよう構成された巾木（２Ｂ１）と、巾木（２Ｂ１）における前後端に取付けられた後の傾斜用右係脱金物（２Ｂ２）と、前の傾斜用右係脱金物（２Ｂ３）から構成され、
後の傾斜用右係脱金物（２Ｂ２）は、所定幅の板を素材として正面台形状の接続面（２Ｂ２１）と、接続面の左方辺より前方に向け折曲げた側面方形の連結面（２Ｂ２２）と、接続面の右方辺より前方に向け平面略半円状に折曲げたフック（２Ｂ２３）から構成され、
前の傾斜用右係脱金物（２Ｂ３）は、所定幅の板を素材として正面台形状の接続面（２Ｂ３１）と、接続面の左方辺より後方に向け折曲げた側面方形の連結面（２Ｂ３２）と、接続面の右方辺より後方に向け平面略半円状に折曲げたフック（２Ｂ３３）から構成されていることを特徴とする仮設足場用落下物防止用巾木。
【請求項２】
後の傾斜用左係脱金物（２Ａ２）のフック（２Ａ２３）と、前の傾斜用左係脱金物（２Ａ３）のフック（２Ａ３３）と、後の傾斜用右係脱金物（２Ｂ２）のフック（２Ｂ２３）と、前の傾斜用右係脱金物（２Ｂ３）のフック（２Ｂ３３）において、各フックの先端に斜め下方に向けカットしたカット面が構成されていることを特徴とする請求項１記載の仮設足場用落下物防止用巾木。
【発明の詳細な説明】
【０００１】
【発明の属する技術分野】
本発明は、土木、建築現場などで仮設足場に使用する新規な構成を有する仮設足場用落下物防止用巾木に関するものである。
【０００２】
【従来の技術】
土木、建築工事現場で仮設足場を使用する場合、安全面で巾木が必要であり、通常足場板などを足場バンドや番線で足場に取付けている。
【０００３】
【発明が解決しようとする課題】
従来の技術で述べたものにあっては、下記のような問題点を有していた。
非常に手間がかかるばかりでなく取付けも不安定で、足場布材に生じる隙間を埋めることも殆どなく、巾木としての効果もあまりなかった。
【０００４】
本発明は、従来の技術の有するこのような問題点に鑑みなされたものであり、その目的とするところは、上述の問題を解決できるものを提供しようとするものである。
【０００９】
【課題を解決するための手段】
上記目的を達成するために、本発明は下記のようになるものである。すなわち、請求項１記載の発明は、仮設足場４に対する落下物防止用巾木群２で構成され、仮設足場４は、所定間隔をもって配された前後の建枠４Ａ、４Ｂと、足場布材４Ｃから構成され、
前の建枠４Ａは、左右方向の水平材４Ａ１の両端に下方に向け連結された左右の足場支柱４Ａ２、４Ａ３から構成され、
後の建枠４Ｂは、左右方向の水平材４Ｂ１の両端に下方に向け連結された左右の足場支柱４Ｂ２、４Ｂ３から構成され、
前後の建枠４Ａ、４Ｂ間は筋違い４Ｄで連結され、
足場布材４Ｃは、所定寸法の足場布材本体４Ｃ１の前後端に取付けられた前後のフック４Ｃ２，４Ｃ２から構成され、前後の建枠４Ａ、４Ｂにおける水平材４Ａ１、４Ｂ１に前後のフック４Ｃ２，４Ｃ２を係止して張設され、
下方に位置する仮設足場４に上方に位置する仮設足場４が、積層可能に構成され、
落下物防止用巾木群２は、左傾斜巾木２Ａと右傾斜巾木２Ｂから構成され、
仮設足場４の左内方下端に配される左傾斜巾木２Ａと仮設足場４の右内方下端に配される右傾斜巾木２Ｂが、各々の傾斜巾木の下辺が内方に位置する傾斜状態で取付けられ、
Ａ．左傾斜巾木２Ａは、足場布材４Ｃの長さに相当する長さを有すると共に、所定高さを有するよう構成された巾木２Ａ１と、巾木２Ａ１における前後端に取付けられた後の傾斜用左係脱金物２Ａ２と、前の傾斜用左係脱金物２Ａ３から構成され、
後の傾斜用左係脱金物２Ａ２は、所定幅の板を素材として正面台形状の接続面２Ａ２１と、接続面の右方辺より前方に向け折曲げた側面方形の連結面２Ａ２２と、接続面の左方辺より前方に向け平面略半円状に折曲げたフック２Ａ２３から構成され、
前の傾斜用左係脱金物２Ａ３は、所定幅の板を素材として正面台形状の接続面２Ａ３１と、接続面の右方辺より後方に向け折曲げた側面方形の連結面２Ａ３２と、接続面の左方辺より後方に向け平面略半円状に折曲げたフック２Ａ３３から構成され、
Ｂ．右傾斜巾木２Ｂは、足場布材４Ｃの長さに相当する長さを有すると共に、所定高さを有するよう構成された巾木２Ｂ１と、巾木２Ｂ１における前後端に取付けられた後の傾斜用右係脱金物２Ｂ２と、前の傾斜用右係脱金物２Ｂ３から構成され、
後の傾斜用右係脱金物２Ｂ２は、所定幅の板を素材として正面台形状の接続面２Ｂ２１と、接続面の左方辺より前方に向け折曲げた側面方形の連結面２Ｂ２２と、接続面の右方辺より前方に向け平面略半円状に折曲げたフック２Ｂ２３から構成され、
前の傾斜用右係脱金物２Ｂ３は、所定幅の板を素材として正面台形状の接続面２Ｂ３１と、接続面の左方辺より後方に向け折曲げた側面方形の連結面２Ｂ３２と、接続面の右方辺より後方に向け平面略半円状に折曲げたフック２Ｂ３３から構成されていることを特徴とするものである。
【００１０】
請求項２記載の発明は、請求項１記載の発明において、後の傾斜用左係脱金物２Ａ２のフック２Ａ２３と、前の傾斜用左係脱金物２Ａ３のフック２Ａ３３と、後の傾斜用右係脱金物２Ｂ２のフック２Ｂ２３と、前の傾斜用右係脱金物２Ｂ３のフック２Ｂ３３において、各フックの先端に斜め下方に向けカットしたカット面が構成されていることを特徴とするものである。
【００１８】
【発明の実施の形態】
以下、本発明の実施の形態を実施例にもとづき図面を参照して説明する。
図１に於いて、ロは本発明の仮設足場用落下物防止用巾木である。仮設足場４に対する落下物防止用巾木群２で構成されている。
Ａ．仮設足場４は公知のものであるが、所定間隔をもって配された前後の建枠４Ａ、４Ｂと、足場布材４Ｃから構成されている。
ａ．前の建枠４Ａは、左右方向の水平材４Ａ１の両端に下方に向け連結された左右の足場支柱４Ａ２、４Ａ３から構成されている。
ｂ．後の建枠４Ｂは、左右方向の水平材４Ｂ１の両端に下方に向け連結された左右の足場支柱４Ｂ２、４Ｂ３から構成されている。
ｃ．前後の建枠４Ａ、４Ｂ間は筋違い４Ｄで連結されている。
ｄ．足場布材４Ｃは公知のものであるが、所定寸法の足場布材本体４Ｃ１の前後端に取付けられた前後のフック４Ｃ２，４Ｃ２から構成され、前後の建枠４Ａ、４Ｂにおける水平材４Ａ１、４Ｂ１に前後のフック４Ｃ２，４Ｃ２を係止して張設されている。
ｅ．このような仮設足場４は、下方に位置する仮設足場４における左右の足場支柱４Ａ２、４Ａ３、４Ｂ２、４Ｂ３に対して、上方に位置する仮設足場４における左右の足場支柱４Ａ２、４Ａ３、４Ｂ２、４Ｂ３を連結して積層可能に構成されている。
【００１９】
Ｂ．図２に示す如く、落下物防止用巾木群２は、左傾斜巾木２Ａと右傾斜巾木２Ｂから構成されている。
ａ．図３及び図５に示す如く、左傾斜巾木２Ａは、足場布材４Ｃの長さに相当する長さを有すると共に、所定高さを有するよう構成された巾木２Ａ１と、巾木２Ａ１における前後端に取付けられた前の傾斜用左係脱金物２Ａ３と、後の傾斜用左係脱金物２Ａ２から構成されている。
ａ１．後の傾斜用左係脱金物２Ａ２は、所定幅の板を素材として正面台形状の接続面２Ａ２１と、接続面の右方辺より前方に向け折曲げた側面方形の連結面２Ａ２２と、接続面の左方辺より前方に向け平面略半円状に折曲げたフック２Ａ２３と、フックの先端に斜め後方に向けカットしたカット面２Ａ２４から構成されている。
ａ２．前の傾斜用左係脱金物２Ａ３は、所定幅の板を素材として正面台形状の接続面２Ａ３１と、接続面の右方辺より後方に向け折曲げた側面方形の連結面２Ａ３２と、接続面の左方辺より後方に向け平面略半円状に折曲げたフック２Ａ３３と、フックの先端に斜め前方に向けカットしたカット面２Ａ３４から構成されている。
【００２０】
ｂ．図４に示す如く、右傾斜巾木２Ｂは、足場布材４Ｃの長さに相当する長さを有すると共に、所定高さを有するよう構成された巾木２Ｂ１と、巾木２Ｂ１における前後端に取付けられた前の傾斜用右係脱金物２Ｂ３と、後の傾斜用右係脱金物２Ｂ２から構成されている。
ｂ１．後の傾斜用右係脱金物２Ｂ２は、所定幅の板を素材として正面台形状の接続面２Ｂ２１と、接続面の左方辺より前方に向け折曲げた側面方形の連結面２Ｂ２２と、接続面の右方辺より前方に向け平面略半円状に折曲げたフック２Ｂ２３と、フックの先端に斜め後方に向けカットしたカット面２Ｂ２４から構成されている。
ｂ２．前の傾斜用右係脱金物２Ｂ３は、所定幅の板を素材として正面台形状の接続面２Ｂ３１と、接続面の左方辺より後方に向け折曲げた側面方形の連結面２Ｂ３２と、接続面の右方辺より後方に向け平面略半円状に折曲げたフック２Ｂ３３と、フックの先端に斜め前方に向けカットしたカット面２Ｂ３４から構成されている。
【００２１】
Ｃ．図６乃至図８を参照して、左傾斜巾木２Ａを例にして仮設足場４に対する取付け状態を説明する。
ｃ１．上下方向に積層された足場布材における上方に位置する足場布材４Ｃの後の建枠４Ｂにおける左の足場支柱４Ｂ２に、左傾斜巾木２Ａの後の傾斜用左係脱金物２Ａ２を係合したのち、前の建枠４Ａにおける左の足場支柱４Ａ２に、前の傾斜用右係脱金物２Ａ３を係合する。
ｃ２．足場布材４Ｃから左傾斜巾木２Ａを取外す場合は、前の垂直用左係脱金物２Ａ３を上方に引き上げたのち、左傾斜巾木２Ａを取外す。
ｃ３．かかる作業の際、前の傾斜用左係脱金物２Ａ３と後の傾斜用左係脱金物２Ａ２には、それぞれカット面が形成されているから、着脱作業を容易かつ確実に行うことができる。
ｃ４．この結果、図２を参照して、仮設足場４の左方に配される左傾斜巾木２Ａと右方に配される右傾斜巾木２Ｂが、当該各々の傾斜巾木の下辺が内方に位置する傾斜状態で取付けられることになる。
【００２６】
【発明の効果】
本発明は、上述の通り構成されているので次に記載する効果を奏する。
１．前述の部材構成によれば、現場における巾木の足場への設置は、巾木本体の片側を下げ、一方の係脱金物を片側の足場支柱に係止したのち、もう一方の係脱金物を他方の足場支柱を挟むように落とし込むことにより完了する。また、巾木を使用することにより足場布材の隙間を充分ふさぐことができる。以上により本発明の効果を挙げるとＡ．簡易に取付けでき、施工性が格段に良くなる。
Ｂ．取付けが確実でばらつきがなく、現場での安全性の向上につながる。
Ｃ．足場布材の隙間を埋めることができ、現場での安全性の向上につながる。
Ｄ．前記効果により今まで巾木を使用していなかった現場も簡易に使用でき、広く現場の安全につながる。
２．このほか、安価に製造できる、部品点数が少ないので組立が容易である、経済的である、などの効果をも有するものである。
【図面の簡単な説明】
【図１】本発明の斜視図である。
【図２】同上における要部拡大正面図である。
【図３】左傾斜巾木を左方から見た斜視図である。
【図４】右傾斜巾木を右方から見た斜視図である。
【図５】前後の傾斜用左係脱金物と傾斜用右係脱金物の分解斜視図である。
【図６】取付け取外し状態を説明する要部拡大左側面図である。
【図７】取付け状態を説明する要部拡大左側面図である。
【図８】Ｂ−Ｂ線拡大端面図である。
【符号の説明】
ロ 本発明の仮設足場用落下物防止用巾木
２ 落下物防止用巾木群
【図１】
0003869277.tif 000002
【図２】
0003869277.tif 000003
【図３】
0003869277.tif 000004
【図４】
0003869277.tif 000005
【図５】
0003869277.tif 000006
【図６】
0003869277.tif 000007
【図７】
0003869277.tif 000008
【図８】
0003869277.tif 000009